(57)【要約】【課題】演奏キーの設定を簡単に行うことができると共に、設定した演奏キーを任意のカラオケ装置で適時に使用することができるカラオケシステムを提供する。【解決手段】利用者情報管理サーバー１０が、利用者のメールアドレスに対応して、演奏曲の曲番号と、その演奏曲の登録演奏キーとを記憶し、携帯電話機２０からのメールアドレスとカラオケ装置３０の装置番号の受信に応じて、メールアドレスに対応して記憶している演奏曲の曲番号と、その演奏曲の登録演奏キーとを抽出し、前記装置番号のカラオケ装置３０に、その演奏曲の曲番号と登録演奏キーとを送信すると共に、カラオケ装置３０で登録される任意の演奏曲の曲番号と、任意の演奏曲の登録演奏キーの受信に応じて、メールアドレスに対応して、任意の演奏曲の曲番号と、任意の演奏曲の登録演奏キーとを記憶するカラオケシステム。【選択図】図２
2012103309.tif 000002
【特許請求の範囲】
【請求項１】
サーバーが、
利用者のメールアドレス若しくは電話番号に対応して、演奏曲の識別情報と、前記演奏曲の登録演奏キーとを記憶し、
利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出し、
前記装置番号のカラオケ装置に、前記抽出した演奏曲の識別情報と、前記演奏曲の登録演奏キーとを送信すると共に、
前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶する、
ことを特徴とするカラオケシステム。
【請求項２】
前記サーバーが、
利用者端末からのメールアドレス若しくは電話番号と演奏曲の識別情報の受信に応じて、前記メールアドレス若しくは前記電話番号に対応して、演奏曲の識別情報と、前記演奏曲の登録演奏キーとして原曲演奏キーとを記憶する、
ことを特徴とする請求項１記載のカラオケシステム。
【請求項３】
前記サーバーが、
前記メールアドレス若しくは前記電話番号に対応して、複数の演奏曲の識別情報と、前記複数の演奏曲の登録演奏キーの各々とを記憶し、
利用者端末からのメールアドレス若しくは電話番号とカラオケ装置の装置番号の受信に応じて、前記メールアドレス若しくは前記電話番号に対応して記憶している前記複数の演奏曲の識別情報と、前記複数の演奏曲の登録演奏キーの各々とを抽出し、
前記装置番号のカラオケ装置に、前記抽出した複数の演奏曲の識別情報と、前記複数の演奏曲の登録演奏キーの各々とを送信する、
ことを特徴とする請求項１又は２記載のカラオケシステム。
【請求項４】
利用者のメールアドレス若しくは電話番号に対応して、演奏曲の識別情報と、前記演奏曲の登録演奏キーとを記憶する手段と、
利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出する手段と、
前記装置番号のカラオケ装置に、前記抽出した演奏曲の識別情報と、前記演奏曲の登録演奏キーとを送信する手段と、
前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶する手段として、
コンピュータ装置を機能させることを特徴とするカラオケシステム用プログラム。
【請求項５】
利用者端末からのメールアドレス若しくは電話番号とカラオケ装置の装置番号のサーバーへの送信に応じて、前記サーバーに前記メールアドレス若しくは前記電話番号に対応して記憶されている演奏曲の識別情報と、前記演奏曲の登録演奏キーとを前記サーバーから受信し、
入力に応じて、前記識別情報の演奏曲を前記受信した登録演奏キーで演奏する、
ことを特徴とするカラオケ装置。
【請求項６】
サーバーのアドレスと、カラオケ装置の装置番号とを二次元コードとして表示部で表示し、
利用者端末での前記二次元コードの撮像、前記サーバーのアドレスと前記カラオケ装置の装置番号の前記二次元コードからの取得、利用者端末からのメールアドレスとカラオケ装置の装置番号のサーバーへの送信に応じて、前記サーバーに前記メールアドレスに対応して記憶されている演奏曲の識別情報と、前記演奏曲の登録演奏キーとを前記サーバーから受信する、
ことを特徴とする請求項５記載のカラオケ装置。
【発明の詳細な説明】
【技術分野】
【０００１】
本発明は、カラオケ装置の演奏曲の演奏キーが登録され、利用者が登録されている演奏キーの演奏曲を通信可能なカラオケ装置で適時使用することができるカラオケシステム、カラオケシステム用プログラム及びカラオケ装置に関する。
【背景技術】
【０００２】
カラオケ装置には、利用者の声域に合わせて演奏曲の演奏キーを上下に変更できる演奏キーのコントロール機構が設けられているのが一般的である。演奏キーは演奏曲毎に標準の状態に設定され、利用者がリモコンやカラオケ装置本体の操作部で上下することにより段階的に変更可能である。
【０００３】
例えば特許文献１には、斯様な演奏キーの操作に関する技術が提案されている。
【先行技術文献】
【特許文献】
【０００４】
【特許文献１】特開２００９−２３７５８２号公報
【発明の概要】
【発明が解決しようとする課題】
【０００５】
しかしながら、カラオケ装置の演奏キーの設定は、カラオケ装置毎に行う必要があり、別のカラオケ店のカラオケ装置では別途に改めて演奏キーの設定を行う必要がある。そのため、演奏キーの設定は極めて面倒な作業であった。
【０００６】
本発明は上記課題に鑑み提案するものであって、演奏キーの設定を簡単に行うことができると共に、設定した演奏キーを任意のカラオケ装置で適時に使用することができるカラオケシステム、カラオケシステム用プログラム及びカラオケ装置を提供することを目的とする。
【課題を解決するための手段】
【０００７】
本発明のカラオケシステムは、サーバーが、利用者のメールアドレス若しくは電話番号に対応して、演奏曲の識別情報と、前記演奏曲の登録演奏キーとを記憶し、利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出し、前記装置番号のカラオケ装置に、前記抽出した演奏曲の識別情報と、前記演奏曲の登録演奏キーとを送信すると共に、前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶することを特徴とする。
この構成によれば、カラオケ装置により登録演奏キーの設定を簡単に行うことができると共に、設定した登録演奏キーを任意のカラオケ装置で適時に使用することができる。
【０００８】
本発明のカラオケシステムは、前記サーバーが、利用者端末からのメールアドレス若しくは電話番号と演奏曲の識別情報の受信に応じて、前記メールアドレス若しくは前記電話番号に対応して、演奏曲の識別情報と、前記演奏曲の登録演奏キーとして原曲演奏キーとを記憶することを特徴とする。
この構成によれば、携帯電話機等の利用者端末により初期設定を容易に行うことができる。
【０００９】
本発明のカラオケシステムは、前記サーバーが、前記メールアドレス若しくは前記電話番号に対応して、複数の演奏曲の識別情報と、前記複数の演奏曲の登録演奏キーの各々とを記憶し、利用者端末からのメールアドレス若しくは電話番号とカラオケ装置の装置番号の受信に応じて、前記メールアドレス若しくは前記電話番号に対応して記憶している前記複数の演奏曲の識別情報と、前記複数の演奏曲の登録演奏キーの各々とを抽出し、前記装置番号のカラオケ装置に、前記抽出した複数の演奏曲の識別情報と、前記複数の演奏曲の登録演奏キーの各々とを送信することを特徴とする。
この構成によれば、利用者は複数の演奏曲に対する各々の登録演奏キーを保持することができ、複数の演奏曲の各々の登録演奏キーを任意のカラオケ装置で適時に使用することができる。
【００１０】
本発明のカラオケシステム用プログラムは、利用者のメールアドレス若しくは電話番号に対応して、演奏曲の識別情報と、前記演奏曲の登録演奏キーとを記憶する手段と、利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出する手段と、前記装置番号のカラオケ装置に、前記抽出した演奏曲の識別情報と、前記演奏曲の登録演奏キーとを送信する手段と、前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶する手段としてコンピュータ装置を機能させることを特徴とする。
この構成によれば、カラオケ装置により登録演奏キーの設定を簡単に行うことができると共に、設定した登録演奏キーを任意のカラオケ装置で適時に使用することができる。
【００１１】
本発明のカラオケ装置は、利用者端末からのメールアドレス若しくは電話番号とカラオケ装置の装置番号のサーバーへの送信に応じて、前記サーバーに前記メールアドレス若しくは前記電話番号に対応して記憶されている演奏曲の識別情報と、前記演奏曲の登録演奏キーとを前記サーバーから受信し、入力に応じて、前記識別情報の演奏曲を前記受信した登録演奏キーで演奏することを特徴とする。
この構成によれば、演奏曲の識別情報と登録演奏キーの設定をサーバーに簡単に行うことができると共に、設定した登録演奏キーを任意のカラオケ装置で適時に使用することができる。
【００１２】
本発明のカラオケ装置は、サーバーのアドレスと、カラオケ装置の装置番号とを二次元コードとして表示部で表示し、利用者端末での前記二次元コードの撮像、前記サーバーのアドレスと前記カラオケ装置の装置番号の前記二次元コードからの取得、利用者端末からのメールアドレスとカラオケ装置の装置番号のサーバーへの送信に応じて、前記サーバーに前記メールアドレスに対応して記憶されている演奏曲の識別情報と、前記演奏曲の登録演奏キーとを前記サーバーから受信することを特徴とする。
この構成によれば、利用者は二次元コードの撮像により、より一層簡単にサーバーに接続して登録演奏キーを所望のカラオケ装置で使用することができる。
【発明の効果】
【００１３】
本発明によれば、カラオケ装置により登録演奏キーの設定を簡単に行うことができると共に、設定した登録演奏キーを任意のカラオケ装置で適時に使用することができる。
【図面の簡単な説明】
【００１４】
【図１】本発明の実施形態のカラオケシステムにおける全体構成を示す構成図。
【図２】本発明の実施形態のカラオケシステムにおける処理過程を示すフローチャート。
【図３】本発明の実施形態のカラオケシステムにおけるサーバーの保存データを示す説明図。
【発明を実施するための形態】
【００１５】
〔実施形態のカラオケシステム〕
本発明の実施形態のカラオケシステムについて説明する。図１は本発明の実施形態のカラオケシステムにおける全体構成を示す構成図である。
【００１６】
本実施形態のカラオケシステムは、図１に示すように、利用者情報管理サーバー１０と、利用者情報管理サーバー１０とインターネット等の通信回線を介して接続可能な利用者端末である携帯電話機２０と、利用者情報管理サーバー１０とインターネット等の通信回線を介して接続可能なカラオケ装置３０と、カラオケ装置３０とインターネット等による通信回線を介して接続可能な楽曲配信用サーバー４０とを備える。
【００１７】
利用者情報管理サーバー１０は、ＣＰＵ等の制御部、ＲＡＭ、制御プログラムを記憶するＲＯＭ、所定データを格納するＨＤＤ等の記憶部、キーボード、マウス等の入力部、ディスプレイ等の表示部、通信制御部等をハードウェアとして備え、これらの各ハードウェアのうち所要部により、利用者情報管理サーバー１０の機能を実行する後述の各所定部が構成される。
【００１８】
利用者情報管理サーバー１０は、利用者のメールアドレスに対応して、演奏曲の識別情報である演奏曲の曲番号と、曲番号に対応する演奏曲について設定されている登録演奏キーと、曲番号に対応する演奏曲の原曲演奏キーとを記憶する登録演奏キー記憶部１１と、利用者端末である携帯電話機２０からのメールアドレスとカラオケ装置３０の装置番号の受信に応じて、登録演奏キー記憶部１１に記憶されている、受信したメールアドレスに対応する演奏曲の曲番号と、その曲番号に対応設定されている登録演奏キーと、その曲番号に対応する演奏曲の原曲演奏キーとを抽出する利用者情報管理部１２と、受信した装置番号のカラオケ装置３０に、抽出した演奏曲の曲番号と、登録演奏キーと、原曲演奏キーとを送信する利用者情報送信部１３とを備える。
【００１９】
また、利用者情報管理部１２は、カラオケ装置３０に送信する利用者情報に包含されるメールアドレス、又はカラオケ装置３０に送信する利用者情報に対応して保持するサーバー側のメールアドレスに対応して、カラオケ装置３０で登録される任意の演奏曲の識別情報である曲番号と、その曲番号の任意の演奏曲の登録演奏キーとを受信し、その受信に応じて、前記メールアドレスに対応して、受信した任意の演奏曲の識別情報と任意の演奏曲の登録演奏キーとを登録演奏キー記憶部１１に記憶する。
【００２０】
また、利用者情報管理部１２は、利用者端末である携帯電話機２０からのメールアドレスと演奏曲の識別情報である演奏曲の曲番号の受信に応じて、メールアドレスに対応して、演奏曲の曲番号と、演奏曲の登録演奏キーとして原曲演奏キーとを登録演奏キー記憶部１１に記憶し、初期設定できるようになっている。
【００２１】
更に、本実施形態における利用者情報管理サーバー１０は、登録演奏キー記憶部１１が、メールアドレスに対応して、複数の演奏曲の識別情報である曲番号と、複数の演奏曲の曲番号の各々に対応する登録演奏キーと、複数の演奏曲の曲番号の各々に対応する演奏曲の原曲演奏キーとを記憶し（図３参照）、利用者情報管理部１２が、利用者端末である携帯電話機２０からのメールアドレスとカラオケ装置３０の装置番号の受信に応じて、登録演奏キー記憶部１１に記憶されている、受信したメールアドレスに対応する複数の演奏曲の曲番号と、その曲番号に各々対応設定されている登録演奏キーと、その曲番号に各々対応する演奏曲の原曲演奏キーとを抽出し、利用者情報送信部１３が、受信した装置番号のカラオケ装置３０に、抽出した演奏曲の曲番号の各々と、各々の曲番号に対応する登録演奏キーと、各々の曲番号に対応する原曲演奏キーとを送信する構成とする。
【００２２】
携帯電話機２０は、ＣＰＵ等の制御部、ＲＡＭ、制御プログラムを記憶するＲＯＭ、所定データを格納するＨＤＤ等の記憶部、ボタン等の入力部、ディスプレイ等の表示部、カメラ等の撮像部、通信制御部等をハードウェアとして備え、これらの各ハードウェアのうち所要部により、携帯電話機２０の機能を実行する各所定部が構成される。
【００２３】
携帯電話機２０は、撮像部で撮像される、後述するカラオケ装置３０の表示部で表示される二次元コードであるＱＲコード（登録商標）を解析するＱＲコード解析部２１と、解析したＱＲコードの情報を送信する情報送信部２２とを備える。カラオケ装置３０でディスプレイ等に出力されるＱＲコードには、カラオケ装置３０の装置番号と利用者情報管理サーバー１０のアドレスの情報が入っており、携帯電話機２０は、これらの情報をＱＲコード解析部２１で解析し、情報送信部２２で、利用者のメールアドレスと共に、カラオケ装置３０の装置番号を前記アドレスの利用者情報管理サーバー１０に送信する。
【００２４】
また、携帯電話機２０の情報送信部２２は、入力された演奏曲の識別情報である曲番号をメールアドレスと共に利用者情報管理サーバー１０に送信し、前述の利用者情報管理サーバー１０における初期設定ができるようになっている。
【００２５】
カラオケ装置３０は、ＣＰＵ等の制御部、ＲＡＭ、制御プログラムを記憶するＲＯＭ、所定データを格納するＨＤＤ等の記憶部、ボタン等の入力部、ディスプレイ等の表示部、スピーカーと、通信制御部等をハードウェアとして備え、これらの各ハードウェアのうち所要部により、カラオケ装置３０の機能を実行する各所定部が構成される。
【００２６】
カラオケ装置３０は、利用者情報管理サーバー１０から受信する、演奏曲の識別情報である曲番号と、その演奏曲の登録演奏キーとをディスプレイ等の表示部に表示する登録演奏キー出力制御部３１と、入力決定或いは選択された登録演奏キーで、対応する曲番号の演奏曲を演奏する演奏部３２と、カラオケ装置３０で入力して登録される、任意の演奏曲の識別情報である曲番号と、この任意の演奏曲の登録演奏キーとを送信する登録演奏キー送信制御部３３とを備え、その他に通常の通信カラオケ装置としての構成を有する。
【００２７】
楽曲配信用サーバー４０は、ＣＰＵ等の制御部、ＲＡＭ、制御プログラムを記憶するＲＯＭ、各曲番号に対応する楽曲データを格納するＨＤＤ等の記憶部、キーボード、マウス等の入力部、ディスプレイ等の表示部、通信制御部等をハードウェアとして備え、これらの各ハードウェアのうち所要部により、楽曲配信用サーバー４０の機能を実行する後述の各所定部が構成される。
【００２８】
次に、本実施形態のカラオケシステムの処理の流れについて説明する。図２は本発明の実施形態のカラオケシステムにおける処理過程を示すフローチャートである。
【００２９】
まず、利用者は携帯電話機２０を用い、初期設定を行う。この初期設定では、携帯電話機２０に演奏曲の曲番号を入力し、入力された演奏曲の曲番号をメールアドレスと共に利用者情報管理サーバー１０に送信する。利用者情報管理サーバー１０は、受信したメールアドレスに対応して受信した演奏曲の曲番号と、当該演奏曲の登録演奏キーとして原曲演奏キーを登録演奏キー記憶部１１に記憶保持する（Ｓ１０１）。また、必要に応じて原曲演奏キー以外の登録演奏キーを携帯電話機２０から利用者情報管理サーバー１０に送信し、これを演奏曲に対する登録演奏キーとして設定する構成や、或いは複数の演奏曲の曲番号を送受信して各演奏曲に対する登録演奏キーを設定してもよい。
【００３０】
次いで、利用者は携帯電話機２０でカラオケ装置３０の表示部に表示されるＱＲコードを撮像し、ＱＲコードに情報として記録されているカラオケ装置３０の装置番号と利用者情報管理サーバー１０のアドレスを取得する。携帯電話機２０は前記アドレスによって利用者情報管理サーバー１０に接続し、利用者の携帯電話機２０に保持されている利用者のメールアドレスとカラオケ装置３０の装置番号を利用者情報管理サーバー１０に送信する（Ｓ１０２）。
【００３１】
利用者情報管理サーバー１０は、携帯電話機２０からのメールアドレスとカラオケ装置３０の装置番号を受信し、その受信に応じて、前記メールアドレスに対応して記憶している演奏曲の曲番号と当該演奏曲の登録演奏キーを抽出し、演奏曲の曲番号と当該演奏曲の登録演奏キーを前記装置番号のカラオケ装置３０に送信する（Ｓ１０３）。この際に、利用者のメールアドレスに対応して複数の演奏曲の曲番号と、各曲番号の演奏曲にそれぞれ対応して登録演奏キーが設定されている場合には、これら複数の演奏曲の曲番号と各々の登録演奏キーをカラオケ装置３０に送信する。
【００３２】
利用者はカラオケ装置３０が受信して表示する演奏曲の曲番号と登録演奏キーをリモコン或いは入力部で指定入力すると、カラオケ装置３０に楽曲配信用サーバー４０から当該曲番号のＭＩＤＩデータ等の演奏曲がダウンロードされ、指定入力された登録演奏キーで前記演奏曲が演奏される（Ｓ１０４）。登録演奏キーはメジャーキー毎に変更可能にする、或いはマイナーキーも含めて変更可能にするなど適宜である。
【００３３】
また、カラオケ装置３０において、リモコン或いは入力部で任意の演奏曲に対する登録演奏キーが変更された場合には、その演奏曲の曲番号と、変更された登録演奏キーがカラオケ装置３０から利用者情報管理サーバー１０に送信される。利用者情報管理サーバー１０がカラオケ装置３０から受信した演奏曲の曲番号と、変更された登録演奏キーは登録演奏キー記憶部１１に記憶される（Ｓ１０５）。
【００３４】
本実施形態のカラオケシステムによれば、カラオケ装置３０により登録演奏キーの設定を簡単に行うことができると共に、設定した登録演奏キーを任意のカラオケ装置３０で適時に使用することができる。また、携帯電話機２０により初期設定を容易に行うことができる。また、利用者はＱＲコードの撮像により、より一層簡単に利用者情報管理サーバー１０に接続して登録演奏キーを所望のカラオケ装置３０で使用することができる。
【００３５】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含し、例えば下記例も包含する。
【００３６】
例えば上記実施形態では、携帯電話機２０に保持するメールアドレスを用い、このメールアドレスに対応して演奏曲の曲番号や登録演奏キーを利用者情報管理サーバー１０に記憶保持する構成としたが、電話番号等の他の利用者の識別情報に対応してこれらの情報を記憶するようにしてもよい。電話番号を用いる場合には、例えば自動音声応答システムにより電話番号や演奏曲の曲番号を入力し、この情報が自動的に利用者情報管理サーバー１０内に記憶される構成等とすることが可能である。
【００３７】
また、携帯電話機２０が利用者情報管理サーバー１０にアクセスする際に、利用者の好みの演奏曲の曲番号の送信を促し、利用者情報管理サーバー１０内に保持する利用者の設定曲番号とをメールアドレスに基づいて抽出し、入力され送信された曲番号と抽出した曲番号とを照合して接続可能にする構成等とし、セキュリティを確保するようにしてもよい。
【産業上の利用可能性】
【００３８】
本発明は、通信カラオケ装置に利用することができる。
【符号の説明】
【００３９】
１０…利用者情報管理サーバー  １１…登録演奏キー記憶部  １２…利用者情報管理部  １３…利用者情報送信部  ２０…携帯電話機  ２１…ＱＲコード解析部  ２２…情報送信部  ３０…カラオケ装置  ３１…登録演奏キー出力制御部  ３２…演奏部  ３３…登録演奏キー送信制御部  ４０…楽曲配信用サーバー
【図１】
2012103309.tif 000003
【図２】
2012103309.tif 000004
【図３】
2012103309.tif 000005
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
表示部を備えるカラオケ装置と、該カラオケ装置に通信回線を介して接続可能なサーバーとを有するカラオケシステムであって、
前記サーバーが、
利用者のメールアドレス若しくは電話番号に対応して、演奏曲の識別情報と、前記演奏曲の登録演奏キーとを記憶し、
利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出し、
前記装置番号のカラオケ装置に、前記抽出した演奏曲の識別情報と、前記演奏曲の登録演奏キーとを送信すると共に、
前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶し、
前記カラオケ装置が、
前記サーバーから送信された前記演奏曲の識別情報と前記演奏曲の登録演奏キーとを受信すると、該受信した演奏曲の識別情報及び登録演奏キーを前記表示部に表示し、該受信した登録演奏キーで前記識別情報の演奏曲を演奏する、
ことを特徴とするカラオケシステム。
【請求項２】
前記サーバーが、
利用者端末からのメールアドレス若しくは電話番号と演奏曲の識別情報の受信に応じて、前記メールアドレス若しくは前記電話番号に対応して、演奏曲の識別情報と、前記演奏曲の登録演奏キーとして原曲演奏キーとを記憶する、
ことを特徴とする請求項１記載のカラオケシステム。
【請求項３】
前記サーバーが、
前記メールアドレス若しくは前記電話番号に対応して、複数の演奏曲の識別情報と、前記複数の演奏曲の登録演奏キーの各々とを記憶し、
利用者端末からのメールアドレス若しくは電話番号とカラオケ装置の装置番号の受信に応じて、前記メールアドレス若しくは前記電話番号に対応して記憶している前記複数の演奏曲の識別情報と、前記複数の演奏曲の登録演奏キーの各々とを抽出し、
前記装置番号のカラオケ装置に、前記抽出した複数の演奏曲の識別情報と、前記複数の演奏曲の登録演奏キーの各々とを送信する、
ことを特徴とする請求項１又は２記載のカラオケシステム。
【請求項４】
利用者のメールアドレス若しくは電話番号に対応して、演奏曲の識別情報と、前記演奏曲の登録演奏キーとを記憶する手段と、
利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出する手段と、
前記装置番号のカラオケ装置に、前記抽出した演奏曲の識別情報と、前記演奏曲の登録演奏キーとを送信する手段と、
前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶する手段として、
コンピュータ装置を機能させることを特徴とするカラオケシステム用プログラム。
【請求項５】
表示部及び入力部を備えるカラオケ装置であって、
利用者端末からのメールアドレス若しくは電話番号とカラオケ装置の装置番号のサーバーへの送信に応じて、前記サーバーに前記メールアドレス若しくは前記電話番号に対応して記憶されている演奏曲の識別情報と、前記演奏曲の登録演奏キーとを前記サーバーから受信し、該受信した演奏曲の識別情報及び登録演奏キーを前記表示部に表示し、
前記入力部を介して、前記表示した前記識別情報及び前記登録演奏キーの指定入力を受け付け、該入力に応じて、前記識別情報の演奏曲を前記受信した登録演奏キーで演奏する、
ことを特徴とするカラオケ装置。
【請求項６】
サーバーのアドレスと、カラオケ装置の装置番号とを二次元コードとして前記表示部で表示し、
利用者端末での前記二次元コードの撮像、前記サーバーのアドレスと前記カラオケ装置の装置番号の前記二次元コードからの取得、利用者端末からのメールアドレスとカラオケ装置の装置番号のサーバーへの送信に応じて、前記サーバーに前記メールアドレスに対応して記憶されている演奏曲の識別情報と、前記演奏曲の登録演奏キーとを前記サーバーから受信する、
ことを特徴とする請求項５記載のカラオケ装置。
【手続補正２】
【補正対象書類名】明細書
【補正対象項目名】０００７
【補正方法】変更
【補正の内容】
【０００７】
本発明のカラオケシステムは、表示部を備えるカラオケ装置と、該カラオケ装置に通信回線を介して接続可能なサーバーとを有するカラオケシステムであって、前記サーバーが、利用者のメールアドレス若しくは電話番号に対応して、演奏曲の識別情報と、前記演奏曲の登録演奏キーとを記憶し、利用者端末からのメールアドレス若しくは電話番号とカラオケ装置の装置番号の受信に応じて、前記メールアドレス若しくは前記電話番号に対応して記憶している演奏曲の識別情報と、前記演奏曲の登録演奏キーとを抽出し、前記装置番号のカラオケ装置に、前記抽出した演奏曲の識別情報と、前記演奏曲の登録演奏キーとを送信すると共に、前記カラオケ装置で登録される任意の演奏曲の識別情報と、前記任意の演奏曲の登録演奏キーの受信に応じて、前記メールアドレス若しくは前記電話番号に対応して、前記任意の演奏曲の識別情報と、前記任意の演奏曲の登録演奏キーとを記憶し、前記カラオケ装置が、前記サーバーから送信された前記演奏曲の識別情報と前記演奏曲の登録演奏キーとを受信すると、該受信した演奏曲の識別情報及び登録演奏キーを前記表示部に表示し、該受信した登録演奏キーで前記識別情報の演奏曲を演奏することを特徴とする。
この構成によれば、カラオケ装置により登録演奏キーの設定を簡単に行うことができると共に、設定した登録演奏キーを任意のカラオケ装置で適時に使用することができる。
【手続補正３】
【補正対象書類名】明細書
【補正対象項目名】００１１
【補正方法】変更
【補正の内容】
【００１１】
本発明のカラオケ装置は、表示部及び入力部を備えるカラオケ装置であって、利用者端末からのメールアドレス若しくは電話番号とカラオケ装置の装置番号のサーバーへの送信に応じて、前記サーバーに前記メールアドレス若しくは前記電話番号に対応して記憶されている演奏曲の識別情報と、前記演奏曲の登録演奏キーとを前記サーバーから受信し、該受信した演奏曲の識別情報及び登録演奏キーを前記表示部に表示し、前記入力部を介して、前記表示した前記識別情報及び前記登録演奏キーの指定入力を受け付け、該入力に応じて、前記識別情報の演奏曲を前記受信した登録演奏キーで演奏することを特徴とする。
この構成によれば、演奏曲の識別情報と登録演奏キーの設定をサーバーに簡単に行うことができると共に、設定した登録演奏キーを任意のカラオケ装置で適時に使用することができる。
【手続補正４】
【補正対象書類名】明細書
【補正対象項目名】００１２
【補正方法】変更
【補正の内容】
【００１２】
この発明のカラオケ装置は、サーバーのアドレスと、カラオケ装置の装置番号とを二次元コードとして前記表示部で表示し、利用者端末での前記二次元コードの撮像、前記サーバーのアドレスと前記カラオケ装置の装置番号の前記二次元コードからの取得、利用者端末からのメールアドレスとカラオケ装置の装置番号のサーバーへの送信に応じて、前記サーバーに前記メールアドレスに対応して記憶されている演奏曲の識別情報と、前記演奏曲の登録演奏キーとを前記サーバーから受信することを特徴とする。
この構成によれば、利用者は二次元コードの撮像により、より一層簡単にサーバーに接続して登録演奏キーを所望のカラオケ装置で使用することができる。